(57)【特許請求の範囲】
【請求項１】
測距対象物に向けて光束を投光する発光手段と、
前記発光手段から測距対象物に投光された前記光束の反射光を受光し、その受光位置に応じて信号を出力する受光手段と、
電源電圧の供給のためのバッテリと、
前記バッテリの電源電圧を昇圧する昇圧手段と、
第一プリント基板上に配置され、前記昇圧手段が出力する昇圧電圧を入力し前記昇圧電圧より低い電圧となる降圧電圧を出力する降圧手段と、
前記第一プリント基板と異なる第二プリント基板上に配置され、前記降圧電圧を入力して作動し、前記測距対象物までの距離に対応する信号又は前記測距対象物までの距離に対応する信号を生成するための信号を出力する信号処理手段と、
前記第二プリント基板上に配置され、前記降圧電圧が入力される前記信号処理手段の電源端子と前記信号処理手段の接地端子との間に接続され、前記降圧電圧を安定化させる安定化容量と、を備えて構成され、
前記第二プリント基板上における前記安定化容量と前記信号処理手段の前記電源端子との接続部分から引き出された配線を通じて前記受光手段に前記降圧電圧が入力されていること、
を特徴とする測距装置。
【請求項２】
測距対象物に向けて光束を投光する発光手段と、
前記発光手段から測距対象物に投光された前記光束の反射光を受光し、その受光位置に応じて信号を出力する受光手段と、
電源電圧の供給のためのバッテリと、
前記バッテリの電源電圧を昇圧する昇圧手段と、
第一プリント基板上に配置され、前記昇圧手段が出力する昇圧電圧を入力し前記昇圧電圧より低い電圧となる降圧電圧を出力する降圧手段と、
前記第一プリント基板と異なる第二プリント基板上に配置され、前記降圧電圧を入力して作動し、前記測距対象物までの距離に対応する信号又は前記測距対象物までの距離に対応する信号を生成するための信号を出力する信号処理手段と、
前記第二プリント基板上に配置され、前記降圧電圧が入力される前記信号処理手段の電源端子と前記信号処理手段の接地端子との間に接続され、前記降圧電圧を安定化させる安定化容量と、を備えて構成され、
前記第二プリント基板上における前記安定化容量と前記信号処理手段の前記電源端子との接続部分から引き出された配線を通じて前記信号処理手段以外の電子部品に前記降圧電圧が入力されていること、
を特徴とする測距装置。
【発明の詳細な説明】
【０００１】
【発明の属する技術分野】
本発明は、カメラなどに用いられる測距装置に関するものである。
【０００２】
【従来の技術】
カメラのオートフォーカス機構（ＡＦ機構）などでは、一般に、被写体までの距離を三角測量方式により測定する測距装置が用いられている。この測距装置は、発光素子から被写体に向けて赤外光を投光し、その光の反射光を受光素子で受けてその受光位置に応じた信号を出力させ、その信号に基づいて演算回路などにより被写体までの距離を測るものである。
【０００３】
ところで、測距装置の演算回路などを作動させるためには安定した電源電圧の供給が必要であり、一定の電圧を出力するレギュレータＩＣなどが用いられる。
【０００４】
【発明が解決しようとする課題】
しかしながら、上述した測距装置にあっては、増幅回路、演算回路などに供給される電源電圧の変動により正確な測距結果が得られないおそれがある。例えば、カメラなどの測距装置では、レギュレータＩＣと演算回路などが別のプリント基板に配置されたり、長い配線により接続される場合がある。このため、図６に示すように、レギュレータＩＣＡの出力端子に電圧安定用のコンデンサＣを取り付けても、演算回路Ｂが長い配線Ｄにより接続されることにより、演算回路Ｂの電源電圧にノイズがのりやすく、その電圧が変動しやすいものとなる。但し、この場合、コンデンサＣの接続部分から配線され接続される他の回路Ｅの動作による負荷変動ノイズが生じても、コンデンサＣによりレギュレータＩＣＡの出力端子における負荷変動による電圧の変動は抑制できる。なお、図６中のＲは配線抵抗である。
【０００５】
一方、演算回路Ｂの電源電圧を安定させるため、図７に示すように、演算回路Ｂの接続部分にコンデンサＣを配置すると、他の回路Ｅから生じたノイズによりレギュレータＩＣＡの出力端子付近の電圧が変動し、それに応じて演算回路Ｂの電源電圧も変動してしまう。
【０００６】
更に、この対策として電源電圧の配線に多数のコンデンサＣを取り付けることが考えられる。しかし、多数のコンデンサＣを取り付けるとすると、部品点数が多くなり、部品コストの増加を招くと共に、測距装置の大型化を招く結果となってしまう。
【０００７】
そこで本発明は、このような問題点を解消するためになされたものであって、電源電圧の安定化が効率良く行える測距装置を提供することを目的とする。
【０００８】
【課題を解決するための手段】
このような目的を達成するために、本発明に係る測距装置は、測距対象物に向けて光束を投光する発光手段と、発光手段から測距対象物に投光された光束の反射光を受光し、その受光位置に応じて信号を出力する受光手段と、電源電圧の供給のためのバッテリと、バッテリの電源電圧を昇圧する昇圧手段と、第一プリント基板上に配置され昇圧手段が出力する昇圧電圧を入力し前記昇圧電圧より低い電圧となる降圧電圧を出力する降圧手段と、第一プリント基板と異なる第二プリント基板上に配置され降圧電圧を入力して作動し測距対象物までの距離に対応する信号又は測距対象物までの距離に対応する信号を生成するための信号を出力する信号処理手段と、第二プリント基板上に配置され降圧電圧が入力される信号処理手段の電源端子と信号処理手段の接地端子との間に接続され降圧電圧を安定化させる安定化容量と、を備えて構成され、第二プリント基板上における安定化容量と信号処理手段の電源端子との接続部分から引き出された配線を通じて受光手段に降圧電圧が入力されていることを特徴とする。
【０００９】
また本発明に係る測距装置は、測距対象物に向けて光束を投光する発光手段と、発光手段から測距対象物に投光された光束の反射光を受光し、その受光位置に応じて信号を出力する受光手段と、電源電圧の供給のためのバッテリと、バッテリの電源電圧を昇圧する昇圧手段と、第一プリント基板上に配置され昇圧手段が出力する昇圧電圧を入力し前記昇圧電圧より低い電圧となる降圧電圧を出力する降圧手段と、第一プリント基板と異なる第二プリント基板上に配置され降圧電圧を入力して作動し測距対象物までの距離に対応する信号又は測距対象物までの距離に対応する信号を生成するための信号を出力する信号処理手段と、第二プリント基板上に配置され降圧電圧が入力される信号処理手段の電源端子と信号処理手段の接地端子との間に接続され降圧電圧を安定化させる安定化容量と、を備えて構成され、第二プリント基板上における安定化容量と信号処理手段の電源端子との接続部分から引き出された配線を通じて信号処理手段以外の電子部品に降圧電圧が入力されていることを特徴とする。
【００１０】
これらの発明によれば、電源電圧の変動の影響を受けやすい信号処理手段の電源端子の近傍にコンデンサを配置することにより、降圧電圧の安定化が効率良く行える。このため、降圧電圧の安定化のためのコンデンサの設置数の低減が図れ、部品コストの削減が図れる。また、コンデンサの設置数が減ることで測距装置の小型化が図れる。
【００１１】
【発明の実施の形態】
以下、添付図面に基づき、本発明の実施の形態について説明する。尚、各図において同一要素には同一符号を付して説明を省略する。また、図面の寸法比率は説明のものと必ずしも一致していない。
【００１２】
（第一実施形態）
図１に本実施形態に係る測距装置１の電気的構成の概略図を示す。図２に本実施形態に係る測距装置１における降圧レギュレータ、ＡＦＩＣ及び安定化容量との電気的接続を示す。
【００１３】
測距装置１は、カメラのオートフォーカス機構に用いられるものであり、図１に示すように、バッテリ２を具備している。バッテリ２は、カメラに内蔵される電池であり、カメラ内部に配置される測距装置１などに電源電圧を供給するためのものである。このバッテリ２の正端子と負端子は、それぞれ第一プリント基板１１に接続されている。その際、バッテリ２と第一プリント基板１１との間には、０．５〜１．０Ω程度の配線抵抗Ｒが生ずる。なお、図１中のＲは、全て配線抵抗を示している。
【００１４】
第一プリント基板１１には昇圧レギュレータ３が配設されている。昇圧レギュレータ３は、バッテリ２の出力電圧Ｖ１を入力し、その出力電圧Ｖ１より高い電圧の昇圧電圧Ｖ２を出力するものである。例えば、バッテリ２の出力電圧Ｖ１が５Ｖ以下の電圧である場合、マイコンなどの作動させるために昇圧レギュレータ３によりバッテリ２の出力電圧Ｖ１が５Ｖに昇圧される。この昇圧レギュレータ３としては、例えばスイッチングレギュレータが用いられる。
【００１５】
昇圧レギュレータ３の出力側には、降圧レギュレータ４が接続されている。降圧レギュレータ４は、昇圧レギュレータの出力電圧Ｖ２を入力し、その出力電圧Ｖ２より低い電圧の降圧電圧Ｖ３を出力するものである。昇圧電圧Ｖ２より低電圧である降圧電圧Ｖ３を用いて各種の電子部品を作動させることにより、昇圧電圧Ｖ２に生ずるノイズの影響を受けることなく電子部品の確実に正常動作が確保できる。昇圧レギュレータ３と降圧レギュレータ４との間の配線には前述同様な配線抵抗Ｒが生じている。
【００１６】
降圧レギュレータ４の出力側は、第一プリント基板１１から第二プリント基板１２へ配線され、ＡＦＩＣ（オートフォーカスＩＣ）５に接続されている。ＡＦＩＣ５は、降圧電圧Ｖ３を入力して作動し、受光手段である位置検出素子（以下、「ＰＳＤ」という。）８１からの信号に基づいて測距対象物までの距離に対応する信号を出力するものであり、信号処理手段として機能する。降圧レギュレータ４とＡＦＩＣ５との間の配線には前述同様な配線抵抗Ｒが生じている。
【００１７】
なお、ここで言う「信号処理手段」とは、降圧電圧Ｖ３を入力して作動し、測距対象物までの距離に対応する信号又は測距対象物までの距離に対応する信号を生成するための信号を出力するものをいう。従って、信号処理手段として機能するものは、ＡＦＩＣ５全体のほか、ＡＦＩＣ５に内蔵される初段増幅器やＩ／Ｖ変換器（電流電圧変換器）などの入力段部分のみも含み、また、その入力段部分と演算部分を合わせたものも含み、更に、入力段部分、演算部分及び積分部分を合わせたものも含む。
【００１８】
ＡＦＩＣ５の電源端子の近傍と接地端子の近傍との配線間には、安定化容量６が接続されている。安定化容量６は、主にＡＦＩＣ５に供給される降圧電圧Ｖ３の安定化を図るものであり、１０μＦ程度の容量を有するものが用いられ、例えば、タンタルコンデンサなどが用いられる。
【００１９】
この安定化容量６がＡＦＩＣ５の電源端子の近傍と接地端子の近傍との配線間に設置されることにより、ＡＦＩＣ５に供給される降圧電圧Ｖ３の電圧変動が抑制され、ノイズが除去される。このため、電源変動などにより影響を受けやすいＡＦＩＣ５の正常動作が確実に確保できる。
【００２０】
ＡＦＩＣ５の電源端子に接続される安定化容量６の接続部分の近傍から配線７１が引き出されており、その先にはＰＳＤ８１が接続されている。ＰＳＤ８１は、発光素子８６から測距対象物に投光された光の反射光を受光し、その受光位置に応じて信号を出力する受光手段である。このＰＳＤ８１は、降圧電圧Ｖ３の供給により作動する。また、安定化容量６の接続部分の近傍から配線７２が引き出されており、その先には測光センサ８２が接続されている。測光センサ８２は、ＣｄＳなどから光強度検出素子であり、降圧電圧Ｖ３の供給により作動する。
【００２１】
また、安定化容量６の接続部分の近傍から配線７３が引き出されており、その先にはフィルム給送センサ８３が接続されている。フィルム給送センサ８３は、カメラに装填された写真フィルムの給送状態などを検出するものであり、例えば、フォトインターラプタなどが用いられる。このフィルム給送センサ８３は、降圧電圧Ｖ３の供給により作動する。更に、安定化容量６の接続部分の近傍から配線７４が引き出されており、その先にはマイコン８４に内蔵されるＡＤ変換器８５が接続されている。ＡＤ変換器８５は、アナログ信号を出力する各種センサの検出信号を入力しデジタル信号に変換するものである。このＡＤ変換器８５は、降圧電圧Ｖ３を基準電圧として動作する。
【００２２】
図２に示すように、ＡＦＩＣ５の電源端子に接続される安定化容量６の接続部分の近傍から独立して配線７１〜７４を引き出して、降圧電圧Ｖ３をＰＳＤ８１などの電子部品に供給することにより、共通インピーダンスの発生を防止でき、ＡＦＩＣ２０の電源電圧を安定化できると共に、各電子部品に安定した電源電圧を供給することができる。従って、測距装置１の各電子部品における電源電圧の安定化が効率良く行える。
【００２３】
一方、昇圧レギュレータ３の入力側には、第一プリント基板１１を介して発光素子８６が接続されている。この発光素子８６は、測距対象物に向けて投光を行うものであり、例えば赤外光を発するＬＥＤが用いられる。この発光素子８６はバッテリ２の出力電圧Ｖ１の供給により作動する。
【００２４】
図３は本実施形態に係る測距装置を備えたカメラの概略図を示す。
【００２５】
図３に示すように、カメラ１０はスチルカメラであり、そのカメラ１０の右上部分には、バッテリ２が設置されている。バッテリ２の正端子と負端子には、それぞれリード線を介して第一プリント基板１１の右隅に接続されている。第一プリント基板１１は、カメラ１０の底面の近傍に配置されている。第一プリント基板１１上には、昇圧レギュレータ３、マイコン８４及び降圧レギュレータ４がそれぞれ配設されている。
【００２６】
第一プリント基板１１の左隅には第二プリント基板１２がコネクタを介して接続されている。第二プリント基板１２は、フレキシブル基板が用いられ、カメラ１０の前面に沿って上方へ延びており、その上方部分で後方へ折り曲げられている。第二プリント基板１２には、ＡＦＩＣ５及び安定化容量６が配設されている。
【００２７】
カメラ１０の上部には、ＰＳＤ８１、測光センサ８２及び発光素子８６が配置されている。ＰＳＤ８１、測光センサ８２及び発光素子８６はリード線などにより第一プリント基板１１の右後部分に接続されている。
【００２８】
このように、降圧レギュレータ４、ＡＦＩＣ５、ＰＳＤ８１などの電子部品は、カメラ１０の内部で長い電源配線及び接地配線を通じて接続される。このため、それらを作動させるための電源電圧の安定化が困難となるが、電源電圧の変動の影響を受けやすいＡＦＩＣ５の近傍の電源配線部分に安定化容量６を配設することにより、電源電圧の安定化を効率良く行うことができる。従って、降圧レギュレータ４の出力電圧の安定化のためのコンデンサの設置数の低減が図れ、部品コストの削減が図れる。また、コンデンサの設置数が減ることで測距装置１の小型化が図れる。
【００２９】
なお、本実施形態ではスチルカメラに用いられる測距装置１について説明したが、本発明に係る測距装置は、そのようなものに限られるものではなく、ビデオカメラその他測距機能を必要とするものに用いられるものであってもよい。
【００３０】
（第二実施形態）
前述した第一実施形態に係る測距装置１では降圧レギュレータ４とＡＦＩＣ５が別々のＩＣであり別のプリント基板１１、１２に配設されるものであったが、それらの降圧レギュレータ４、ＡＦＩＣ５が同一のプリント基板内に配設され又は同一のＩＣ内に内蔵されていてもよい。
【００３１】
例えば、図４に示すように、測距装置１において一つのＩＣ９の中に降圧レギュレータ４、ＡＦＩＣ５が内蔵されている場合、ＡＦＩＣ５の電源端子の近傍に安定化容量６を配置し、その安定化容量６の接続部分の近傍から配線を引き出してＰＳＤ８１などの各種電子部品に降圧電圧Ｖ３を供給すればよい。これにより、第一実施形態に係る測距装置１と同様にして、ＡＦＩＣ５に供給される降圧電圧Ｖ３の電圧変動が抑制されノイズが除去され、電源変動などにより影響を受けやすいＡＦＩＣ５の正常動作が確実に確保できる。また、ＰＳＤ８１など各電子部品の接続配線による共通インピーダンスの発生を防止でき、ＡＦＩＣ２０の電源電圧を安定化できると共に、各電子部品に安定した電源電圧を供給することができる。従って、測距装置１の各電子部品における電源電圧の安定化が効率良く行える。
【００３２】
一方、図５に示すように、一つのＩＣ９の中に降圧レギュレータ４、ＡＦＩＣ５が内蔵されている場合であっても、ＡＦＩＣ５の電源端子の近傍に安定化容量６が配置されないときには、ＡＦＩＣ５が長い配線により接続されることとなるため、ＡＦＩＣ５の電源電圧にノイズがのりやすく、その電圧が変動しやすいものとなる。
【００３３】
【発明の効果】
以上説明したように本発明によれば、次のような効果が得られる。
【００３４】
すなわち、電源電圧の変動の影響を受けやすい信号処理手段の電源端子の近傍に安定化容量を配置することにより、降圧電圧の安定化が効率良く行える。このため、降圧電圧の安定化のためのコンデンサの設置数の低減が図れ、部品コストの削減が図れる。また、コンデンサの設置数が減ることで測距装置の小型化が図れる。
【図面の簡単な説明】
【図１】測距装置の説明図である。
【図２】測距装置における降圧レギュレータ、ＡＦＩＣ及び安定化容量との電気的接続を示す図である。
【図３】測距装置を備えたカメラの説明図である。
【図４】第二実施形態に係る測距装置の説明図である。
【図５】第二実施形態に係る測距装置の前提となる測距装置の説明図である。
【図６】従来技術の説明図である。
【図７】従来技術の説明図である。
【符号の説明】
１…測距装置、２…バッテリ、３…昇圧レギュレータ（昇圧手段）、４…降圧レギュレータ（降圧手段）、５…ＡＦＩＣ（演算手段）、６…安定化容量、８１…ＰＳＤ（受光手段）、８６…発光素子（発光手段）。
【図１】
0003594814.tif 000002
【図２】
0003594814.tif 000003
【図３】
0003594814.tif 000004
【図４】
0003594814.tif 000005
【図５】
0003594814.tif 000006
【図６】
0003594814.tif 000007
【図７】
0003594814.tif 000008